(57)【要約】【課題】上記のアピリオディックＳＲＳの送信に関して、ＳＲＳを送信するためのリソースが前もって確保されてない場合にも、その都度基地局装置の判断によりＳＲＳ送信リソースを作成し、より柔軟なスケジューリングとスループットの向上を実現する。【解決手段】移動局装置３が基地局装置１に対してチャネル測定用の参照信号を送信する無線通信システムであって、基地局装置１は、移動局装置３に対して、特定の時間シンボルで上りリンクデータの信号を送信するか否かを示すアピリオディックＳＲＳサブフレーム信号を含む上りリンク割り当て信号を送信する一方、移動局装置３は、上りリンク割り当て信号を受信し、アピリオディックＳＲＳサブフレーム信号に従って、特定の時間シンボルに上りリンクデータをマッピングするか否かを決定して、基地局装置１に対して、上りリンクデータを送信する。【選択図】図３
2011077884.tif 000002
【特許請求の範囲】
【請求項１】
基地局装置と移動局装置とから構成され、前記移動局装置が前記基地局装置に対してチャネル測定用の参照信号を送信する無線通信システムであって、
前記基地局装置は、前記移動局装置に対して、特定の時間シンボルで上りリンクデータの信号を送信するか否かを示すアピリオディックＳＲＳ（Sounding Reference Signal）サブフレーム信号を含む上りリンク割り当て信号を送信する一方、
前記移動局装置は、前記上りリンク割り当て信号を受信し、前記アピリオディックＳＲＳサブフレーム信号に従って、前記特定の時間シンボルに上りリンクデータをマッピングするか否かを決定して、前記基地局装置に対して、上りリンクデータを送信することを特徴とする無線通信システム。
【請求項２】
前記上りリンクデータの送信方式は、ＳＣ−ＦＤＭＡ（Single Carrier Frequency Division Multiple Access）であり、前記時間シンボルは、ＤＦＴ（Discrete Fourier Transformation）処理の単位であるＳＣ−ＦＤＭＡシンボルであることを特徴とする請求項１記載の無線通信システム。
【請求項３】
前記基地局装置は、前記移動局装置に対して、前記アピリオディックＳＲＳサブフレームにおいてＳＲＳを送信することを指示するＳＲＳ割り当て信号を送信する一方、
前記移動局装置は、前記ＳＲＳ割り当て信号を受信し、前記基地局装置に対して、前記特定の時間シンボルにおいてＳＲＳを送信することを特徴とする請求項１または請求項２記載の無線通信システム。
【請求項４】
基地局装置と移動局装置とから構成され、前記移動局装置が前記基地局装置に対してチャネル測定用の参照信号を送信する無線通信システムに適用される移動局装置であって、
前記基地局装置から、特定の時間シンボルで上りリンクデータの信号を送信するか否かを示すアピリオディックＳＲＳ（Sounding Reference Signal）サブフレーム信号を含む上りリンク割り当て信号を受信し、
前記アピリオディックＳＲＳサブフレーム信号に従って、前記特定の時間シンボルに上りリンクデータをマッピングするか否かを決定して、前記基地局装置に対して、上りリンクデータを送信することを特徴とする移動局装置。
【請求項５】
前記上りリンクデータの送信方式は、ＳＣ−ＦＤＭＡ（Single Carrier Frequency Division Multiple Access）であり、前記時間シンボルは、ＤＦＴ（Discrete Fourier Transformation）処理の単位であるＳＣ−ＦＤＭＡシンボルであることを特徴とする請求項４記載の移動局装置。
【請求項６】
基地局装置と移動局装置とから構成され、前記移動局装置が前記基地局装置に対してチャネル測定用の参照信号を送信する無線通信システムに適用される基地局装置であって、
前記移動局装置に対して、特定の時間シンボルで上りリンクデータの信号を送信するか否かを示すアピリオディックＳＲＳ（Sounding Reference Signal）サブフレーム信号を含む上りリンク割り当て信号を送信し、
前記移動局装置から、前記アピリオディックＳＲＳサブフレーム信号に従って、前記特定の時間シンボルに上りリンクデータをマッピングするか否かを決定して送信された上りリンクデータを受信し、
前記受信した上りリンクデータで前記アピリオディックＳＲＳサブフレームが指定されている場合は、前記特定の時間シンボルを使用せずに上りリンクデータの復調処理を行なうことを特徴とする基地局装置。
【請求項７】
前記上りリンクデータの送信方式は、ＳＣ−ＦＤＭＡ（Single Carrier Frequency Division Multiple Access）であり、前記時間シンボルは、ＤＦＴ（Discrete Fourier Transformation）処理の単位であるＳＣ−ＦＤＭＡシンボルであることを特徴とする請求項６記載の基地局装置。
【請求項８】
前記移動局装置に対して、前記アピリオディックＳＲＳサブフレームにおいてＳＲＳを送信することを指示するＳＲＳ割り当て信号を送信し、
前記移動局装置から、前記特定の時間シンボルにおいて送信されたＳＲＳを受信することを特徴とする請求項６または請求項７記載の基地局装置。
【請求項９】
前記移動局装置から受信した上りリンクデータが誤り訂正符号化されていると共に、前記移動局装置から受信したＳＲＳと上りリンクデータが、時間領域および周波数領域において重複している場合は、前記上りリンクデータを復調して誤り訂正を行ない、前記誤り訂正後の信号から、再度誤り訂正符号化を行なうことにより、前記時間領域および周波数領域で重複した信号の生成を行ない、前記生成した信号を用いて、前記ＳＲＳに重複した信号をキャンセルすることを特徴とする請求項８記載の基地局装置。
【請求項１０】
基地局装置と移動局装置とから構成され、前記移動局装置が前記基地局装置に対してチャネル測定用の参照信号を送信する無線通信システムにおける通信方法であって、
前記基地局装置において、
前記移動局装置に対して、特定の時間シンボルで上りリンクデータの信号を送信するか否かを示すアピリオディックＳＲＳ（Sounding Reference Signal）サブフレーム信号を含む上りリンク割り当て信号を送信するステップと、
前記移動局装置において、
前記上りリンク割り当て信号を受信するステップと、
前記アピリオディックＳＲＳサブフレーム信号に従って、前記特定の時間シンボルに上りリンクデータをマッピングするか否かを決定するステップと、
前記基地局装置に対して、上りリンクデータを送信するステップと、を少なくとも含むことを特徴とする通信方法。
【請求項１１】
前記上りリンクデータの送信方式は、ＳＣ−ＦＤＭＡ（Single Carrier Frequency Division Multiple Access）であり、前記時間シンボルは、ＤＦＴ（Discrete Fourier Transformation）処理の単位であるＳＣ−ＦＤＭＡシンボルであることを特徴とする請求項１０記載の通信方法。
【発明の詳細な説明】
【技術分野】
【０００１】
本発明は、通信技術に関し、より詳細には、送信および受信する基地局装置、移動局装置を有する移動通信システムにおいて、ＭＩＭＯに対応したサウンディング参照信号を効率よく送信する技術および、その受信技術に関する。
【背景技術】
【０００２】
現在、３ＧＰＰ（3rd Generation Partnership Project）では、第３世代無線アクセス技術の進化（Long Term Evolution：以下、「LTE」と呼ぶ）や、さらなる通信速度の高速化へ向けたＬＴＥ  Ａｄｖａｎｃｅｄ（以下、「LTE-A」と呼ぶ）についても検討が行なわれている。ＬＴＥにおいて、ＵＬ−ＳＣＨに適用する空間多重系列数、符号化率、変調方式は、移動局装置から基地局装置に送信されるチャネル算出用の参照信号（サウンディング参照信号、SRS:Sounding Reference Signal）を利用して算出される。
【０００３】
ＬＴＥ−ＡではＭＩＭＯ空間多重をサポートするため、これに適したＳＲＳの送信方式に変更することが必要となる。具体的に、ＬＴＥでは基地局装置が知るべきであった送信アンテナに対応するチャネル情報は２であったが、ＬＴＥ−Ａでは最大４本の送信アンテナによる空間多重がサポートされるため、ＬＴＥ−ＡにおいてＳＲＳに要するオーバーヘッドは単純にＬＴＥの２倍となり得る。さらに、ＬＴＥ−ＡではＳＲＳを利用してチャネルの状況に応じた空間多重数（ランク）を計算し、それに合わせた上りリンク通信を行なうことが望ましい。さらに上りリンク通信の品質を高めるためには送信信号をあらかじめ前処理して送信することが有効であるが、ゲインを獲得するために送信信号に対して前処理を行なう場合には、最適な前処理系列（プレコーダ）の算出もＳＲＳを利用して行なう必要がある。つまり、ＬＴＥ−ＡではＬＴＥと比較して、さらに高頻度かつ高精度なＳＲＳの送信を実現しなければならない。
【０００４】
非特許文献１では、ＳＲＳの送信頻度が十分でなく所要の精度が実現できていない場合や、あらかじめ基地局装置で設定された帯域ではない領域をスケジュールする場合に利用するために、下りリンク制御チャネルで各移動局装置に送信される上りリンクリソース割り当て情報の中に、一度きりのＳＲＳ送信を指令する情報を含めることを提案している。ここで、１回の設定で２回（２サブフレーム）以上の周期的なＳＲＳ送信をピリオディックＳＲＳと呼称し、１回の設定で１度（１サブフレーム）だけのＳＲＳ送信をアピリオディックＳＲＳと呼称する。非特許文献２で提案するアピリオディックＳＲＳの方法により、基地局装置がＭＩＭＯ通信を行ないたいタイミングをトリガにしてＳＲＳを送信することが可能であり、必要以上に周期的ＳＲＳリソースを移動局装置に割り当てることによるオーバーヘッドを削減することができる。
【先行技術文献】
【非特許文献】
【０００５】
【非特許文献１】R1-091879,“SRS Transmission Issues in LTE-A“, 3GPP TSG RAN WG1 Meeting #57, San Francisco, USA, 4-8 May, 2009
【発明の概要】
【発明が解決しようとする課題】
【０００６】
しかしながら、非特許文献１の方法は、ＳＲＳサブフレームの空きを有効利用して、１個のサブフレームで１度ＳＲＳを送信するが、ＳＲＳを送信するかしないかにもかかわらず、その領域をＳＲＳサブフレームとして確保しておかなければならない。このため、ＳＲＳを送信しない場合にもそのリソースは確保されることになり、結果としてリソースの無駄遣いとなる。つまり、ＳＲＳを状況に応じていつでも送信できるよう柔軟性を高めると、利用されていないＳＲＳ領域を多く確保しておく必要があり、柔軟性を高くするとオーバーヘッドが大きくなり、結果として当初目的としていたオーバーヘッド削減効果が小さくなるという問題があった。
【０００７】
本発明は、このような事情に鑑みてなされたものであり、上記のアピリオディックＳＲＳの送信に関して、ＳＲＳを送信するためのリソースが前もって確保されてない場合にも、その都度基地局装置の判断によりＳＲＳ送信リソースを作成し、より柔軟なスケジューリングとスループットの向上を実現する無線通信システム、移動局装置、基地局装置および通信方法を提供することを目的とする。
【課題を解決するための手段】
【０００８】
（１）上記の目的を達成するために、本発明は、以下のような手段を講じた。すなわち、本発明の無線通信システムは、基地局装置と移動局装置とから構成され、前記移動局装置が前記基地局装置に対してチャネル測定用の参照信号を送信する無線通信システムであって、前記基地局装置は、前記移動局装置に対して、特定の時間シンボルで上りリンクデータの信号を送信するか否かを示すアピリオディックＳＲＳ（Sounding Reference Signal）サブフレーム信号を含む上りリンク割り当て信号を送信する一方、前記移動局装置は、前記上りリンク割り当て信号を受信し、前記アピリオディックＳＲＳサブフレーム信号に従って、前記特定の時間シンボルに上りリンクデータをマッピングするか否かを決定して、前記基地局装置に対して、上りリンクデータを送信することを特徴とする。
【０００９】
このように、アピリオディックＳＲＳサブフレーム信号に従って、特定の時間シンボルに上りリンクデータをマッピングするか否かを決定して、基地局装置に対して、上りリンクデータを送信するので、ＳＲＳを送信するためのリソース確保に関わるオーバーヘッドを低減することができる。さらに、ＬＴＥの仕様から大きな変更を伴わず、既存のＬＴＥに対応した移動局装置との後方互換性も保たれるため、それぞれに対するスループット減少といった問題も回避することができる。
【００１０】
（２）また、本発明の無線通信システムにおいて、前記上りリンクデータの送信方式は、ＳＣ−ＦＤＭＡ（Single Carrier Frequency division multiple Access）であり、前記時間シンボルは、ＤＦＴ（Discrete Fourier Transformation）処理の単位であるＳＣ−ＦＤＭＡシンボルであることを特徴とする。
【００１１】
このように、上りリンクデータの送信方式は、ＳＣ−ＦＤＭＡであり、前記時間シンボルは、ＤＦＴ処理の単位であるＳＣ−ＦＤＭＡシンボルであるので、ピリオディックＳＲＳサブフレームにおけるＵＬ−ＳＣＨと同様の制御が可能となる。もし、ある移動局装置がアピリオディックＳＲＳとＵＬ−ＳＣＨを同時に送信するように基地局装置に通知された場合は、このＳＣ−ＦＤＭＡシンボルでＳＲＳを送信することが可能となる。
【００１２】
（３）また、本発明の無線通信システムにおいて、前記基地局装置は、前記移動局装置に対して、前記アピリオディックＳＲＳサブフレームにおいてＳＲＳを送信することを指示するＳＲＳ割り当て信号を送信する一方、前記移動局装置は、前記ＳＲＳ割り当て信号を受信し、前記基地局装置に対して、前記特定の時間シンボルにおいてＳＲＳを送信することを特徴とする。
【００１３】
このように、基地局装置は、移動局装置に対して、アピリオディックＳＲＳサブフレームにおいてＳＲＳを送信することを指示するＳＲＳ割り当て信号を送信する一方、移動局装置は、ＳＲＳ割り当て信号を受信し、基地局装置に対して、特定の時間シンボルにおいてＳＲＳを送信するので、ＳＲＳを送信するためのリソース確保に関わるオーバーヘッドを低減することができる。さらに、ＬＴＥの仕様から大きな変更を伴わず、既存のＬＴＥに対応した移動局装置との後方互換性も保たれるため、それぞれに対するスループット減少といった問題も回避することができる。
【００１４】
（４）また、本発明の移動局装置は、基地局装置と移動局装置とから構成され、前記移動局装置が前記基地局装置に対してチャネル測定用の参照信号を送信する無線通信システムに適用される移動局装置であって、前記基地局装置から、特定の時間シンボルで上りリンクデータの信号を送信するか否かを示すアピリオディックＳＲＳ（Sounding Reference Signal）サブフレーム信号を含む上りリンク割り当て信号を受信し、前記アピリオディックＳＲＳサブフレーム信号に従って、前記特定の時間シンボルに上りリンクデータをマッピングするか否かを決定して、前記基地局装置に対して、上りリンクデータを送信することを特徴とする。
【００１５】
このように、基地局装置から、特定の時間シンボルで上りリンクデータの信号を送信するか否かを示すアピリオディックＳＲＳサブフレーム信号を含む上りリンク割り当て信号を受信し、アピリオディックＳＲＳサブフレーム信号に従って、特定の時間シンボルに上りリンクデータをマッピングするか否かを決定して、基地局装置に対して、上りリンクデータを送信するので、ＳＲＳを送信するためのリソース確保に関わるオーバーヘッドを低減することができる。さらに、ＬＴＥの仕様から大きな変更を伴わず、既存のＬＴＥに対応した移動局装置との後方互換性も保たれるため、それぞれに対するスループット減少といった問題も回避することができる。
【００１６】
（５）また、本発明の移動局装置において、前記上りリンクデータの送信方式は、ＳＣ−ＦＤＭＡ（Single Carrier Frequency Division Multiple Access）であり、前記時間シンボルは、ＤＦＴ（Discrete Fourier Transformation）処理の単位であるＳＣ−ＦＤＭＡシンボルであることを特徴とする。
【００１７】
このように、上りリンクデータの送信方式は、ＳＣ−ＦＤＭＡであり、前記時間シンボルは、ＤＦＴ処理の単位であるＳＣ−ＦＤＭＡシンボルであるので、ピリオディックＳＲＳサブフレームにおけるＵＬ−ＳＣＨと同様の制御が可能となる。もし、ある移動局装置がアピリオディックＳＲＳとＵＬ−ＳＣＨを同時に送信するように基地局装置に通知された場合は、このＳＣ−ＦＤＭＡシンボルでＳＲＳを送信することが可能となる。
【００１８】
（６）また、本発明の基地局装置は、基地局装置と移動局装置とから構成され、前記移動局装置が前記基地局装置に対してチャネル測定用の参照信号を送信する無線通信システムに適用される基地局装置であって、前記移動局装置に対して、特定の時間シンボルで上りリンクデータの信号を送信するか否かを示すアピリオディックＳＲＳ（Sounding Reference Signal）サブフレーム信号を含む上りリンク割り当て信号を送信し、前記移動局装置から、前記アピリオディックＳＲＳサブフレーム信号に従って、前記特定の時間シンボルに上りリンクデータをマッピングするか否かを決定して送信された上りリンクデータを受信し、前記受信した上りリンクデータで前記アピリオディックＳＲＳサブフレームが指定されている場合は、前記特定の時間シンボルを使用せずに上りリンクデータの復調処理を行なうことを特徴とする。
【００１９】
このように、移動局装置に対して、特定の時間シンボルで上りリンクデータの信号を送信するか否かを示すアピリオディックＳＲＳサブフレーム信号を含む上りリンク割り当て信号を送信し、移動局装置から、アピリオディックＳＲＳサブフレーム信号に従って、特定の時間シンボルに上りリンクデータをマッピングするか否かを決定して送信された上りリンクデータを受信し、受信した上りリンクデータでアピリオディックＳＲＳサブフレームが指定されている場合は、特定の時間シンボルを使用せずに上りリンクデータの復調処理を行なうので、ＳＲＳを送信するためのリソース確保に関わるオーバーヘッドを低減することができる。さらに、ＬＴＥの仕様から大きな変更を伴わず、既存のＬＴＥに対応した移動局装置との後方互換性も保たれるため、それぞれに対するスループット減少といった問題も回避することができる。
【００２０】
（７）また、本発明の基地局装置において、前記上りリンクデータの送信方式は、ＳＣ−ＦＤＭＡ（Single Carrier Frequency Division Multiple Access）であり、前記時間シンボルは、ＤＦＴ（Discrete Fourier Transformation）処理の単位であるＳＣ−ＦＤＭＡシンボルであることを特徴とする。
【００２１】
このように、上りリンクデータの送信方式は、ＳＣ−ＦＤＭＡであり、前記時間シンボルは、ＤＦＴ処理の単位であるＳＣ−ＦＤＭＡシンボルであるので、ピリオディックＳＲＳサブフレームにおけるＵＬ−ＳＣＨと同様の制御が可能となる。もし、ある移動局装置がアピリオディックＳＲＳとＵＬ−ＳＣＨを同時に送信するように基地局装置に通知された場合は、このＳＣ−ＦＤＭＡシンボルでＳＲＳを送信することが可能となる。
【００２２】
（８）また、本発明の基地局装置において、前記移動局装置に対して、前記アピリオディックＳＲＳサブフレームにおいてＳＲＳを送信することを指示するＳＲＳ割り当て信号を送信し、前記移動局装置から、前記特定の時間シンボルにおいて送信されたＳＲＳを受信することを特徴とする。
【００２３】
このように、移動局装置に対して、アピリオディックＳＲＳサブフレームにおいてＳＲＳを送信することを指示するＳＲＳ割り当て信号を送信し、移動局装置から、特定の時間シンボルにおいて送信されたＳＲＳを受信するので、ＳＲＳを送信するためのリソース確保に関わるオーバーヘッドを低減することができる。さらに、ＬＴＥの仕様から大きな変更を伴わず、既存のＬＴＥに対応した移動局装置との後方互換性も保たれるため、それぞれに対するスループット減少といった問題も回避することができる。
【００２４】
（９）また、本発明の基地局装置において、前記移動局装置から受信した上りリンクデータが誤り訂正符号化されていると共に、前記移動局装置から受信したＳＲＳと上りリンクデータが、時間領域および周波数領域において重複している場合は、前記上りリンクデータを復調して誤り訂正を行ない、前記誤り訂正後の信号から、再度誤り訂正符号化を行なうことにより、前記時間領域および周波数領域で重複した信号の生成を行ない、前記生成した信号を用いて、前記ＳＲＳに重複した信号をキャンセルすることを特徴とする。
【００２５】
このように、移動局装置から受信した上りリンクデータが誤り訂正符号化されていると共に、移動局装置から受信したＳＲＳと上りリンクデータが、時間領域および周波数領域において重複している場合は、上りリンクデータを復調して誤り訂正を行ない、誤り訂正後の信号から、再度誤り訂正符号化を行なうことにより、時間領域および周波数領域で重複した信号の生成を行ない、生成した信号を用いて、ＳＲＳに重複した信号をキャンセルするので、既存のシステムの物理構造に対応した、新たなＳＲＳの送信が可能になる。さらに、基地局装置の処理により、アピリオディックＳＲＳサブフレームに対応していない移動局装置とも共存させることが可能となる。
【発明の効果】
【００２６】
本発明によれば、アピリオディックＳＲＳサブフレーム信号に従って、特定の時間シンボルに上りリンクデータをマッピングするか否かを決定して、基地局装置に対して、上りリンクデータを送信するので、ＳＲＳを送信するためのリソース確保に関わるオーバーヘッドを低減することができる。さらに、ＬＴＥの仕様から大きな変更を伴わず、既存のＬＴＥに対応した移動局装置との後方互換性も保たれるため、それぞれに対するスループット減少といった問題も回避することができる。
【図面の簡単な説明】
【００２７】
【図１】本発明の基地局装置の一構成例を示す機能ブロック図である。
【図２】本発明のＵＥ３の一構成例を示す機能ブロック図である。
【図３】本発明の第１の実施形態に係る基地局装置１からＵＥ３ａ、ＵＥ３ｂへアピリオディックＳＲＳサブフレームが適用され、ＵＥ３ａがアピリオディックＳＲＳを送信することを想定したシーケンスチャートである。
【図４】本発明の第１の実施形態に係るアピリオディックＳＲＳサブフレームの構成を表す図である。
【図５】本発明の第２の実施形態に係る移動通信システムにおける、基地局装置とＵＥ３との間の処理および信号の流れを示すシーケンスチャートである。
【図６】本発明の第２の実施形態に係るアピリオディックＳＲＳサブフレームの構成を表す図である。
【図７】ＬＴＥにおけるＳＲＳの送信の方法について具体的に示した図である。
【図８】サウンディングサブフレームの詳細な構成を示した図である。
【図９】ＳＲＳの送信方法について示した図である。
【発明を実施するための形態】
【００２８】
次世代セルラー移動通信の一方式として、国際的な標準化プロジェクトである３ＧＰＰにおいて、Ｗ−ＣＤＭＡ（Wideband-Code Division Multiple Access）とＧＳＭ（Global System for Mobile Communications）を発展させたネットワークの仕様に関して検討が行なわれている。３ＧＰＰでは、以前からセルラー移動通信方式について検討されており、第３世代セルラー移動通信方式として、Ｗ−ＣＤＭＡ方式が標準化された。また、通信速度を更に向上したＨＳＤＰＡ（High-Speed Downlink Packet Access）も標準化され、サービスが運用されている。現在、３ＧＰＰでは、第３世代無線アクセス技術の進化（Long Term Evolution：以下、「LTE」と呼ぶ）や、さらなる通信速度の高速化へ向けたＬＴＥ Ａｄｖａｎｃｅｄ（以下、「LTE-A」と呼ぶ）についても検討が行なわれている。
【００２９】
ＬＴＥにおける上りリンクデータの送信では、基地局装置から割り当てられたリソースに基づくＳＣ−ＦＤＭＡ（Single Carrier Frequency Division Multiple Access）をベースにした通信方式が採用されている。具体的には変調された送信信号はＤＦＴ（Discrete Fourier Transformation）により周波数領域の信号へと変換され、基地局装置により割り当てられた周波数リソースにマッピングされた後、ＩＤＦＴ（Inverse DFT）により時間領域の信号へと変換され基地局装置へと送信される。ここでは、上りリンクデータとは上位レイヤから渡され、物理層では各ビットの意味を解釈しないデータに対応し、トランスポートチャネルで定義されたＵＬ−ＳＣＨ（Uplink Shared Channel）と呼称することとする。実際に送信されるデータはＵＬ−ＳＣＨに対して符号化などの処理が施されたものであり、基地局装置によって移動局装置に割り当てられるＰＵＳＣＨ（Physical Uplink Shared Channel）と呼ばれるデータ信号送信チャネルでこれが送信される。
【００３０】
ＬＴＥの上りリンクにおけるマルチアンテナ送信技術について、２本の送信アンテナから適応的に１本の送信アンテナを選択するアンテナスイッチングがサポートされている。これに対してＬＴＥ−Ａでは、上りリンク方式の拡張として、ＭＩＭＯ（Multiple Input Multiple Output）による空間多重の適用が検討されており、ＵＬ−ＳＣＨのデータは最大４本の送信アンテナにより空間多重されて複数の系列が送信される。ここで、ＵＬ−ＳＣＨに適用する空間多重系列数、符号化率、変調方式は、移動局装置から基地局装置に送信されるチャネル算出用の参照信号（サウンディング参照信号、SRS: Sounding Reference Signal）を利用して算出される。ＳＲＳはこの用途のほかに、周波数スケジューリングにも利用される。
【００３１】
図７は、ＬＴＥにおけるＳＲＳの送信の方法について具体的に示した図である。基地局装置は、それと通信をする移動局装置全体との間にサウンディングサブフレームを設定し、具体的にはサウンディングサブフレームは基準サブフレームからのオフセットと周期が与えられる。サウンディングサブフレームは全移動局装置に対して共通であり、このサブフレームにおいてＳＲＳが送信されることを意味する。
【００３２】
図８は、サウンディングサブフレームの詳細な構成を示した図である。ただし、図８にはＰＵＳＣＨとして利用できる帯域のみ記載しており、制御情報を送信する周波数帯域については省略している。図８における縦軸は周波数軸であり、一つのブロックはサブキャリアを表す。ＬＴＥでは連続する１２サブキャリアをまとめてリソース割り当て単位としており、これをリソースブロック（RB：Resource Block）と呼称している。一方横軸は時間軸であり、周波数領域を時間領域に変換し、サイクリックプレフィックスを付与する単位によって時間を分割している。これを１ＳＣ−ＦＤＭＡシンボルと呼称する。ＬＴＥでは連続する７ＳＣ−ＦＤＭＡシンボルにより１スロットを構成し、２スロットをまとめて１サブフレームを構成する。サブフレームはＬＴＥおよびＬＴＥ−Ａにおける時間領域でのリソースの分割単位となっている。
【００３３】
図８に示されるように、それぞれのＳＣ−ＦＤＭＡシンボルは異なる用途に利用することができ、ＳＣ−ＦＤＭＡシンボル３番はデータ復調用の参照信号（DMRS: Demodulation RS）の送信のために利用される。スロット１番におけるＳＣ−ＦＤＭＡシンボル６番はＳＲＳの送信のために利用される。それ以外のＳＣ−ＦＤＭＡシンボルはデータ送信用に利用される。ここで、ＤＭＲＳおよびＳＲＳは、他のユーザとの多重や、アンテナ識別のために直交符号が利用されており、ＬＴＥではＣＡＺＡＣ（Constant Amplitude and Zero-Autocorrelation）系列を時間軸上でサイクリックシフトさせた系列が利用されている。
【００３４】
図９は、ＳＲＳの送信方法について示した図である。基地局装置は、移動局装置に共通で、もしくは移動局装置一括でＳＲＳの送信に関する設定を行なう。ここで、設定とは、ＳＲＳサブフレームのうち、移動局装置が利用できるサブフレームの位置をオフセットと周期により設定することとともに、ＳＲＳがサポートする帯域、１サブフレームにて送信されるＳＲＳ帯域幅、およびどのアンテナから送信されるかを表す。
【００３５】
具体的に図９を用いて説明すると、ここでは偶数サブフレームがＳＲＳサブフレームとして設定されており、そのうち｛４、８、１２、１６、２０、２４｝サブフレームがこの移動局装置に割り当てられている。また、この移動局装置のＳＲＳがサポートする帯域はシステム帯域幅の一部であるＡであり、１回のＳＲＳ送信で帯域Ａの幅の三分の一つまり帯域Ａ１、Ａ２、Ａ３が予め決められた順序で送信される。また、この移動局装置は２本の送信アンテナを具備していることを想定しており、１サブフレームで一つのアンテナに対応したＳＲＳを送信する。具体的にこの例においては、アンテナ＃０、＃１をそれぞれの送信タイミングで交互に送信するように設定される。以下、本発明の実施形態について図面を参照して説明する。
【００３６】
（第１の実施形態）
本発明の第１の実施形態による移動通信システムは、基地局装置１と移動局装置３（以下ＵＥ３と表わす）とを有している。
【００３７】
図１は、本発明の基地局装置１の一構成例を示す機能ブロック図である。本発明の基地局装置１は、送信部１１０、スケジューリング部１２０、受信部１３０、およびアンテナ１４０を備えている。送信部１１０は、符号化部１１１、変調部１１２、マッピング部１１３、無線送信部１１４を備えている。また、スケジューリング部１２０は、下りリンク送信リソース情報制御部１２１、上りリンク送信リソース情報制御部１２２、ピリオディックＳＲＳ送信スケジュール制御部１２３、アピリオディックＳＲＳ送信スケジュール制御部１２４、ピリオディックＳＲＳサブフレーム制御部１２５、アピリオディックＳＲＳサブフレーム制御部１２６を備えており、受信部１３０は無線受信部１３１、ＳＲＳ分離・算出部１３２、逆マッピング・復調処理部１３３を備えている。アンテナ１４０は、下りリンク信号の送信および上りリンク信号の受信に必要な数だけ備えられている。
【００３８】
基地局装置１において生成された、各ＵＥ３に送信する下りリンクデータと、スケジューリング部１２０から出力される制御情報送信のためのスケジューリング情報は、符号化部１１１に入力され、それぞれがスケジューリング部１２０からの制御信号に従った符号化が施され符号化ビット列が出力される。スケジューリング部１２０からの制御信号とは符号化率を表す情報や、たとえばターボ符号、テイルバイティング畳み込み符号などの符号化方式を表すものである。また、複数の情報を組み合わせて符号化されてもよく、それぞれの情報が個別に符号化されてもよい。ここで、スケジューリング部１２０から提供される情報とは、アピリオディックＳＲＳの送信に関する制御情報を含むことが特徴であり、たとえばＰＵＳＣＨの割り当て情報、アピリオディックＳＲＳの系列、送信するＳＣ−ＦＤＭＡシンボルの情報などが含まれた上りリンクリソース割り当て情報（UL Grant）のことを表す。
【００３９】
符号化部１１１の複数の出力ビット列は変調部１１２に入力され、それぞれがスケジューリング部１２０からの制御信号に従った変調、たとえばＢＰＳＫ、ＱＰＳＫ、１６ＱＡＭ、６４ＱＡＭのシンボルに変換され出力される。変調部１１２の出力はスケジューリング部１２０から提供される下りスケジューリングの情報とともにマッピング部１１３へ入力され、送信データが生成される。ここで送信データとは、例えばＯＦＤＭ信号のことを指しており、マッピング動作とはＵＥ３ごとに指定された周波数、時間リソースに対応させる動作に相当する。また、ＭＩＭＯによる空間多重が採用されていれば、この処理がこのブロックにおいて行なわれる。ここで制御情報とは、上りリンクもしくは下りリンクのリソース割り当て情報、つまり送信タイミングと周波数リソースの情報、上りリンクもしくは下りリンク信号の変調方式および符号化率、および、ＵＥ３に対するＣＱＩ、ＰＭＩ、ＲＩの送信要求などのことである。
【００４０】
マッピング部１１３により生成された信号は無線送信部１１４へと出力される。無線送信部１１４では、送信方式にあった形態に変換され、具体的にＯＦＤＭＡに準じた通信方式であれば、周波数領域の信号に対してＩＦＦＴ（Inverse Fast Fourier Transformation）が施されることにより、時間領域の信号が生成される。無線送信部１１４の出力信号はアンテナ１４０に供給され、ここから各ＵＥ３へ送信される。
【００４１】
スケジューリング部１２０は、上位レイヤからの制御情報およびＵＥ３から送信された情報を管理および制御し、各ＵＥ３へのリソース割り振りや変調方式、符号化率の決定およびこれらの動作の制御やその制御情報の出力などを行なっている。また、スケジューリング部１２０がアピリオディックＳＲＳの送信タイミング（時間リソース）、リソースブロック（周波数リソース）そして符号リソースを管理することが本発明の特徴である。
【００４２】
下りリンク送信リソース情報制御部１２１は、各ＵＥ３が利用する下りリンクリソースをスケジューリング・管理するとともに、その制御信号の生成を行なう。上りリンク送信リソース情報制御部１２２は、各ＵＥ３が利用する上りリンクリソースを管理するとともに、その制御信号の生成を行なう。ピリオディックＳＲＳ送信スケジュール制御部１２３は、それぞれのＵＥ３に対して適用するピリオディックＳＲＳの送信リソース（時間リソース、周波数リソース、符号リソース）を管理するとともに、ＳＲＳサブフレームに関する設定と管理も行なう。アピリオディックＳＲＳ送信スケジュール制御部１２４は、それぞれのＵＥ３に対して適用するアピリオディックＳＲＳの送信リソース（時間リソース、周波数リソース、符号リソース）を管理するとともに、それを通知するためのＵＬ  Ｇｒａｎｔ生成と管理も行なう。ここで、アピリオディックＳＲＳを送信するためのＵＬ  ＧｒａｎｔをＵＬ  ＳＲＳ  Ｇｒａｎｔと呼称する。
【００４３】
ピリオディックＳＲＳサブフレーム制御部１２５はすべてのＵＥ３に対して割り当てられるＳＲＳサブフレームを管理する。ここで管理とは、どのサブフレームでＳＲＳが送信されるかを管理するものであり、受信処理においてＳＲＳを分離、算出するための制御信号の生成などを行なう。アピリオディックＳＲＳサブフレーム制御部１２６は、ＵＥ３に対してアピリオディックＳＲＳサブフレームを通知するための情報を管理する。ここでアピリオディックＳＲＳサブフレームとは、ＳＲＳサブフレームでないサブフレームであって、決められたＳＣ−ＦＤＭＡシンボルにおいて信号を送信しないサブフレームのことである。アピリオディックＳＲＳサブフレームの通知はＵＥ３に対して個別に、もしくは複数のＵＥ３に対してまとめて通知される。アピリオディックＳＲＳサブフレームはたとえばＵＬ  Ｇｒａｎｔの中に含めて通知することができる。
【００４４】
アピリオディックＳＲＳサブフレームが有効であることが通知されたＵＥ３は、対象となるサブフレームにおいてＵＬ−ＳＣＨを送信する際に、あらかじめ決められたＳＣ−ＦＤＭＡシンボルでのＵＬ−ＳＣＨ信号を送信しない。具体的に図８を用いて説明すると、スロット＃１の６番目のＳＣ−ＦＤＭＡシンボルをブランクにして信号を送信する。これは、ピリオディックＳＲＳサブフレームにおけるＵＬ−ＳＣＨの送信手順と同様である。もし、あるＵＥ３がアピリオディックＳＲＳとＵＬ−ＳＣＨを同時に送信するように基地局装置１に通知された場合は、このＳＣ−ＦＤＭＡシンボルでＳＲＳを送信することも可能である。アピリオディックＳＲＳサブフレーム制御部１２６は、どのサブフレームをアピリオディックＳＲＳサブフレームとして利用するかを制御するとともに、ＵＥ３に対して通知するアピリオディックＳＲＳサブフレームの信号の制御を行なう。
【００４５】
一方、ＵＥ３から送信された信号は、アンテナ１４０で受信された後、無線受信部１３１に入力される。無線受信部１３１はデータや制御信号を受け取り、送信方式に応じたディジタル信号を生成して出力する。具体的にＯＦＤＭ方式やＳＣ−ＦＤＭＡ方式が採用されているのであれば、受信信号をアナログ・ディジタル変換した後、処理時間単位でＦＦＴ処理を施した信号が出力される。ここで、無線受信部１３１には、上りリンクの伝搬路の状況を計測するための信号と、例えば上位レイヤで処理されるデータ信号や制御情報として管理されるべき情報を含む信号などの信号の２種類に分けられ、それぞれ第１の信号および第２の信号として出力される。
【００４６】
無線受信部１３１の第１の出力はＳＲＳ分離・算出部１３２へ出力される。ここでは、上りリンク信号に含められたアピリオディックＳＲＳもしくはピリオディックＳＲＳが抽出され、そこから得られる各ＵＥ３のチャネル情報をスケジューリング部１２０へ出力する。特に、ＳＲＳは時間、周波数、符号リソースによってユーザごと、もしくは他の情報と多重されている可能性があり、ピリオディックＳＲＳ送信スケジュール制御部１２３もしくはアピリオディックＳＲＳ送信スケジュール制御部１２４で管理するリソース割り当て情報に従って、これらの分離が行なわれる。
【００４７】
無線受信部１３１の第２の出力は逆マッピング・復調処理部１３３へと出力される。逆マッピング・復調処理部１３３にはスケジューリング部１２０が管理するマッピングパターン、変調方式および符号化率を利用して、ＵＥ３から送信された複数種類の情報をそれぞれ復調、抽出する。ここで、上りリンク信号に空間多重が適用されており、２種類以上の通信品質の異なる情報が同時に送信されていれば、それぞれの信号が含まれている時間、周波数位置をあらかじめ分離し、スケジューリング部１２０から入力される制御情報に従って、それぞれ異なる変調方式、符号化率、空間多重数を適用した逆マッピング、復調処理が行なわれる。このような処理により得られた信号のうち、上位レイヤで処理されるものについては上位レイヤへと出力され、スケジューリング部１２０で管理される制御情報、たとえばＣＱＩやＲＩなどについては、スケジューリング部１２０に出力される。
【００４８】
図２は、本発明のＵＥ３の一構成例を示す機能ブロック図である。各ＵＥ３は、図２に示すように、受信部２１０、スケジューリング情報管理部２２０、送信部２３０、および、アンテナ２４０を備えている。受信部２１０は無線受信部２１１、復調処理部２１２、下りリンク伝搬路算出部２１３を備えている。また、スケジューリング情報管理部２２０は下りリンク送信リソース情報管理部２２１、上りリンク送信リソース情報管理部２２２、ピリオディックＳＲＳ送信スケジュール管理部２２３、そしてアピリオディックＳＲＳ送信スケジュール管理部２２４、ピリオディックＳＲＳサブフレーム管理部２２５、アピリオディックＳＲＳサブフレーム管理部２２６を備えている。アンテナ２４０は上りリンク信号の送信および下りリンク信号の受信に必要な数だけ備えられている。送信部２３０は符号化部２３１、変調部２３２、マッピング部２３３、無線送信部２３４を備えている。
【００４９】
基地局装置１から送信される下りリンク信号をアンテナ２４０で受信すると、この受信信号は無線受信部２１１へ入力される。無線受信部２１１では、アナログ・ディジタル（A/D）変換などの他に、通信方式に応じた処理が施され、出力される。具体的にＯＦＤＭＡであれば、Ａ／Ｄ変換後の時系列の信号はＦＦＴ処理され、時間・周波数領域の信号に変換されて出力される。
【００５０】
無線受信部２１１の出力信号は復調処理部２１２へ入力される。これとともに復調処理部２１２にはスケジューリング情報管理部２２０から出力される下りリンク信号のスケジューリング情報（つまり自局宛の信号がどこに割り当てられているかという情報）、空間多重の系列数、変調方式、符号化率といった制御情報も入力され、復調処理が行なわれる。復調された信号は信号の種類によって分類され、上位レイヤにて処理される情報は上位レイヤへと渡され、スケジューリング情報管理部にて管理される情報についてはスケジューリング情報管理部に入力される。ここでスケジューリング情報管理部にて管理される情報とは、アピリオディックＳＲＳを送信するリソース（時間、周波数、符号リソース）に関するものを含むことが本発明の特徴である。下りリンク伝搬路算出部２１３は無線受信部２１１から提供される伝搬路算出用の信号を入力信号として、下りリンクに適用できる空間多重の系列数、変調方式、符号化率といった管理情報を計算する。この管理情報はスケジューリング情報管理部２２０へと入力される。
【００５１】
スケジューリング情報管理部２２０は基地局装置１から送信された制御情報を管理し、また、ＵＥ３で算出された制御情報を基地局装置１へ送信するための管理も行なう。下りリンク送信リソース情報管理部２２１は、基地局装置１から送信された自局の下りリンクリソース情報を管理するとともに、下りリンク信号の送信制御を行なう。上りリンク送信リソース情報管理部２２２は、基地局装置１から送信された自局の上りリンクリソース情報を管理するとともに、上りリンク信号の送信制御を行なう。ピリオディックＳＲＳ送信スケジュール管理部２２３は基地局装置１から送信されたピリオディックＳＲＳの送信リソース（時間リソース、周波数リソース、符号リソース）を管理するとともに、それらのリソースを用いたＳＲＳ送信の制御を行なう。
【００５２】
アピリオディックＳＲＳ送信スケジュール管理部２２４は、基地局装置１から送信されたアピリオディックＳＲＳの送信リソース（時間リソース、周波数リソース、符号リソース）を管理するとともに、そのリソースを用いたアピリオディックＳＲＳの生成も制御する。ピリオディックＳＲＳサブフレーム管理部２２５は基地局装置１から送信されたピリオディックＳＲＳサブフレームの情報を管理し、ピリオディックＳＲＳサブフレームにおいては定められたＳＣ−ＦＤＭＡシンボルでＵＬ−ＳＣＨを送信しないように制御を行なう。アピリオディックＳＲＳサブフレーム管理部２２６は、基地局装置１から送信されたアピリオディックＳＲＳサブフレームの情報を管理し、アピリオディックＳＲＳサブフレームにおいては定められたＳＣ−ＦＤＭＡシンボルでＵＬ−ＳＣＨを送信しないように制御を行なう。
【００５３】
送信部２３０は、上りリンクデータやアピリオディックＳＲＳなどの情報を割り当てられた上りリンクリソースにおいて送信する。下りリンクデータおよびスケジューリング情報管理部２２０で管理される信号は、その送信タイミングにおいて符号化部２３１へ供給され、入力された信号はそれぞれの種類によって異なる符号化率の符号化が行なわれる。この複数系列の出力信号は変調部２３２へと入力され、それぞれの種類によって異なる変調方式により変調される。この出力はマッピング部２３３へと出力され、送信情報ごとの空間多重数、およびマッピング位置情報に応じて信号のマッピングを行なう。具体的に、送信方式にＳＣ−ＦＤＭＡが適用される場合には割り当てられた周波数領域に信号をマッピングする。
【００５４】
マッピング部２３３によりマッピングされた信号は、無線送信部２３４へ入力される。無線送信部２３４ではこれらの信号が送信用の信号形態に変換される。具体的には、周波数領域の信号をＩＦＦＴにより時間領域の信号へ変換し、ガードインターバルを付与する動作などがこれに相当する。無線送信部２３４の出力はアンテナ２４０に供給される。
【００５５】
図３は、本発明の第１の実施形態に係る基地局装置１からＵＥ３ａ、ＵＥ３ｂへアピリオディックＳＲＳサブフレームが適用され、ＵＥ３ａがアピリオディックＳＲＳを送信することを想定したシーケンスチャートである。ここでは、ピリオディックＳＲＳが送信される手順については詳細を割愛しているが、アピリオディックＳＲＳと共存することも可能であり、その送信時刻のタイミングに関わらず本実施形態と同様の手順を適用することが可能である。さらに、ＵＥ３ａとは、アピリオディックサブフレームが適用され、かつ、アピリオディックＳＲＳを送信するＵＥ３のことを表しており、ＵＥ３ｂは、アピリオディックＳＲＳサブフレームが適用されるが、アピリオディックＳＲＳを送信しないＵＥ３のことを表している。また、ＵＥ３ａとＵＥ３ｂはそれぞれが複数同時に存在していてもよく、ここでは簡単のため、ＵＥ３ａおよびＵＥ３ｂそれぞれひとつから構成されているものとした説明を行なう。
【００５６】
基地局装置１はＵＥ３ａおよびＵＥ３ｂに対して、ＳＲＳに関する設定を通知する（ステップＳ１０１）ここでは、ＳＲＳサブフレームの通知や、ピリオディックＳＲＳの割り当て情報に関する情報の通知が行なわれる。この情報は複数のＵＥ３に対してブロードキャストされる形で通知されてもよく、個別に通知されてもよい。さらに、ステップＳ１０１に対応する処理は１サブフレームで完結する必要はなく、数サブフレームを利用して行なってもよい。ＳＲＳに関する設定の通知が完了したＵＥ３は、その設定に従ってアピリオディックＳＲＳを割り当てられたリソースで送信する。ここでリソースとは、時間、周波数、符号リソースのことを表す。ただし、アピリオディックＳＲＳとピリオディックＳＲＳは互いに影響を及ぼさないため、ピリオディックＳＲＳが送信されるタイミングについてはここでは明記しない。
【００５７】
次に基地局装置１はＵＥ３ａに対してＳＲＳ割り当て信号を送信する（ステップＳ１０２ａ）。ここでは、この信号をＵＬ  ＳＲＳ  Ｇｒａｎｔと呼称する。ＵＥ３ａに送信されるＵＬ  ＳＲＳ  ＧｒａｎｔにはアピリオディックＳＲＳを送信することを指定する情報が記載されている。ここで、ＵＬ  ＳＲＳ  Ｇｒａｎｔは、ＵＥ３ａでは決められたＳＣ−ＦＤＭＡシンボルでデータ送信を行なわずアピリオディックＳＲＳを送信することを表す信号である。
【００５８】
通常のＵＬ  Ｇｒａｎｔとは異なることを検出する方法として、識別ビットをＵＬ  Ｇｒａｎｔに含めることや、ＵＬ  Ｇｒａｎｔの検出に利用される誤り検出用のＣＲＣ（Cyclic Redundancy Check）のビット列に特定の系列の排他的論理和を適用することなどが挙げられる。具体的なＵＬ  ＳＲＳ  Ｇｒａｎｔの構成として、割り当てられたリソースブロックの位置、アピリオディックＳＲＳの直交符号系列（サイクリックシフト）が記載されており、この記載に従ってＳＲＳが送信される。この直交符号系列はここで送信されるアンテナの本数分だけ通知されてもよいし、一つのサイクリックシフトとアンテナ本数が通知され、サイクリックシフトが一意に決定するようにあらかじめ仕様にて決定してもよい。なお、直交系列が複数割り当てられている場合には、この複数の送信アンテナに対応したＳＲＳをこのＳＣ−ＦＤＭＡシンボルで符号多重して送信することもできる。これを受信したＵＥ３ａはＵＬ  ＳＲＳ  Ｇｒａｎｔの情報に従ってＳＲＳを生成し（ステップＳ１０３ａ）、決められたサブフレームにおいてアピリオディックＳＲＳを送信する（ステップＳ１０５ａ）。
【００５９】
一方、基地局装置１はＵＥ３ｂに対して上りリンク割り当て信号（UL Grant）を送信する（ステップＳ１０２ｂ）。ここで、ＵＥ３ｂに送信されるＵＬ  ＧｒａｎｔはＵＬ−ＳＣＨとＤＭＲＳを送信することを指示するものであり、割り当てられたリソースブロックの位置、変調方式、符号化率、ＤＭＲＳの直交符号系列（サイクリックシフト）などの情報が記載されている。さらに、アピリオディックＳＲＳサブフレームが有効となっているか否かをあらわす情報も含まれており、ＵＥ３ｂはこれが有効であるかを確認し（ステップＳ１０３ｂ）、有効であれば特定のＳＣ−ＦＤＭＡシンボルにＵＬ−ＳＣＨをマッピングしない。このようなＵＬ  Ｇｒａｎｔを受信したＵＥ３ｂはこれに記載された情報に従ってデータ信号を生成し（ステップＳ１０４ｂ）、割り当てられた時間、周波数リソースにおいてこれらのデータ信号およびＤＭＲＳを基地局装置１へ送信する（ステップＳ１０５ｂ）。上記の説明について、実際にリソースブロックがどのように使われるかを示す例を図４にて説明する。
【００６０】
図４は、本発明の第１の実施形態に係るアピリオディックＳＲＳサブフレームの構成を表す図である。図４において、縦軸は周波数を、横軸は時間を表している。このアピリオディックＳＲＳサブフレームを利用するＵＥ３ａは３つ（UE3a-1、UE3a-2、UE3a-3）が存在する。これらのＵＥ３は第１のリソースブロック、第２のリソースブロック、第３のリソースブロックにまたがるリソースブロックのスロット＃１のＳＣ−ＦＤＭＡシンボル＃６でアピリオディックＳＲＳを送信する。さらに、このアピリオディックＳＲＳサブフレームを利用するＵＥ３ｂは４つ（UE3b-1、UE3b-2、UE3b-3、UE3b-4）が存在する。このうち、ＵＥ３ｂ−１、ＵＥ３ｂ−２、ＵＥ３ｂ−３についてはアピリオディックＳＲＳサブフレームが設定されたものとする。さらにＵＥ３ｂ−４についてはアピリオディックＳＲＳサブフレームが設定されていないものとする。
【００６１】
このとき、ＵＥ３ｂ−１、ＵＥ３ｂ−２、ＵＥ３ｂ−３はそれぞれ第１のリソースブロック、第２のリソースブロック、第３のリソースブロックでＵＬ−ＳＣＨを送信するが、スロット＃１のＳＣ−ＦＤＭＡシンボル＃６において信号を何も送信しない。一方、ＵＥ３ｂ−４は第４のリソースブロックでＵＬ−ＳＣＨを送信するが、アピリオディックＳＲＳサブフレームが設定されていないので、スロット＃１のＳＣ−ＦＤＭＡシンボル＃６においても信号を送信する。図４からわかるとおり、アピリオディックＳＲＳとＵＬ−ＳＣＨは時間、周波数領域で直交しているため、基地局装置１はこれらを分離して受信することができる。さらにＵＥ３ａ−１、ＵＥ３ａ−２、ＵＥ３ａ−３から送信されるアピリオディックＳＲＳをそれぞれ直交する符号で送信すれば、基地局装置１はそれぞれを分離して受信することができる。
【００６２】
図３に戻り、ＵＥ３ａおよびＵＥ３ｂから送信される信号を受信した基地局装置１は（ステップＳ１０６）、上記図４の説明の通り、ＵＬ−ＳＣＨとＳＲＳを分離することができる。
【００６３】
以上の手順により、既存のシステムの物理構造に対応した、新たなＳＲＳの送信が可能になる。
【００６４】
（第２の実施形態）
図５は、本発明の第２の実施形態に係る移動通信システムにおける、基地局装置１とＵＥ３との間の処理および信号の流れを示すシーケンスチャートである。基地局装置１とＵＥ３の構成は、図１および図２に示した構成と同様のものを利用することができる。ここで、第１の実施形態と異なる点は、アピリオディックＳＲＳサブフレームに対応していない、つまりＵＬ  Ｇｒａｎｔに含められた情報を利用して特定のＳＣ−ＦＤＭＡシンボルの信号出力をしないＵＥ３（UE3c）が存在することである。以下の説明において、ＵＥ３ａ、ＵＥ３ｂの動作の説明は第１の実施形態と同様であるため割愛する。
【００６５】
基地局装置１は、ＵＥ３ａ、ＵＥ３ｂと同様に、ＵＥ３ｃに対してもＳＲＳに関する設定を通知する（ステップＳ２０１）。ここでは、ＳＲＳサブフレームの通知や、ピリオディックＳＲＳの割り当て情報に関する情報の通知が行なわれる。この情報は複数の移動局装置に対してブロードキャストされる形で通知されてもよく、個別に通知されてもよい。さらに、ステップＳ２０１に対応する処理は１サブフレームで完結する必要はなく、数サブフレームを利用して行なってもよい。ＳＲＳに関する設定を通知が完了した移動局装置は、その設定に従ってアピリオディックＳＲＳを割り当てられたリソースで送信する。ここでリソースとは、時間、周波数、符号リソースのことを表す。ただし、アピリオディックＳＲＳとピリオディックＳＲＳは互いに影響を及ぼさないため、ピリオディックＳＲＳが送信されるタイミングについてはここでは明記しない。
【００６６】
第１の実施形態の説明と同様に、ＵＥ３ａに対してＵＬ  ＳＲＳ  Ｇｒａｎｔが送信され、ＵＥ３ｂに対してＵＬ  Ｇｒａｎｔが送信されるのと同時に、ＵＥ３ｃに対してもＵＬ  Ｇｒａｎｔが送信される（ステップＳ２０２ｃ）。ＵＥ３ｃはアピリオディックＳＲＳサブフレームに対応していないため、このＵＬ−ＧｒａｎｔにはアピリオディックＳＲＳサブフレームを示す情報は含まれていない。よって、ＵＥ３ｃはアピリオディックＳＲＳサブフレームでない、つまり、すべてのＳＣ−ＦＤＭＡシンボルを利用してＵＬ−ＳＣＨを生成し（ステップＳ２０４ｃ）割り当てられたＰＵＳＣＨでＵＬ−ＳＣＨを基地局装置１へ送信する（ステップＳ２０５ｃ）。実際にリソースブロック、ＳＣ−ＦＤＭＡシンボルがどのように使われるかを示す例を図６にて説明する。
【００６７】
図６は、本発明の第２の実施形態に係るアピリオディックＳＲＳサブフレームの構成を表す図である。ここで、ＵＥ３ａは３つ（UE3a-1、UE3a-2、UE3a-3）が存在し、第１のリソースブロック、第２のリソースブロック、第３のリソースブロック、第４のリソースブロックにまたがるリソースブロックのスロット＃１のＳＣ−ＦＤＭＡシンボル＃６でアピリオディックＳＲＳを送信する。さらに、ＵＥ３ｂは３つ（UE3b-1、UE3b-2、UE3b-3）が存在し、それぞれアピリオディックＳＲＳサブフレームが設定されたものとする。このとき、ＵＥ３ｂ−１、ＵＥ３ｂ−２、ＵＥ３ｂ−３はそれぞれ第１のリソースブロック、第２のリソースブロック、第４のリソースブロックでＵＬ−ＳＣＨを送信するが、スロット＃１のＳＣ−ＦＤＭＡシンボル＃６において信号を何も送信しない。一方、ＵＥ３ｃ−１は第３のリソースブロックでＵＬ−ＳＣＨを送信するが、アピリオディックＳＲＳサブフレームに対応できていないため、スロット＃１のＳＣ−ＦＤＭＡシンボル＃６においても信号を送信する。
【００６８】
図６からわかるとおり、アピリオディックＳＲＳとＵＬ−ＳＣＨは第３のリソースブロックのスロット＃１のＳＣ−ＦＤＭＡシンボル＃６（重複領域）で重複してしまう。この場合、基地局装置１はＵＬ−ＳＣＨとＳＲＳの受信処理を行った後（ステップＳ２０６）、第３のリソースブロックのＵＬ−ＳＣＨの復調をまず行ない、重複領域に含まれていると予想されるＵＬ−ＳＣＨ信号のレプリカを生成し、重複領域における受信信号からこのレプリカを引くことによって干渉成分をキャンセルする。この処理により、アピリオディックＳＲＳだけを抽出することができる（ステップＳ２０７）。さらに、ＵＥ３ｃのＵＬ−ＳＣＨの特性についても、アピリオディックＳＲＳサブフレームを考慮した符号化率を設定することにより、その悪影響を避けることができる。
【００６９】
以上の手順により、既存のシステムの物理構造に対応した、新たなＳＲＳの送信が可能になる。さらに、基地局装置１の処理により、アピリオディックＳＲＳサブフレームに対応していない移動局装置とも共存をさせることが可能となる。
【００７０】
以上説明したように、本実施形態によれば、ＳＲＳを送信するためのリソース確保に関わるオーバーヘッドを低減することができる。さらに、ＬＴＥの仕様から大きな変更を伴わず、既存のＬＴＥに対応した移動局装置との後方互換性も保たれるため、それぞれに対するスループット減少といった問題も回避することができる。
【００７１】
また、以上に説明したそれぞれの実施形態において、基地局装置１内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置１や移動局装置の制御を行なっても良い。尚、ここでいう「コンピュータシステム」とは、ＯＳや周辺機器等のハードウェアを含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【００７３】
以上、この発明の実施形態について図面を参照して詳述してきたが、具体的な構成はこれらの実施形態に限られるものではなく、この発明の要旨を逸脱しない範囲の設計等も特許請求の範囲に含まれる。
【符号の説明】
【００７４】
１  基地局装置
３  移動局装置
１１０  送信部
１１１  符号化部
１１２  変調部
１１３  マッピング部
１１４  無線送信部
１２０  スケジューリング部
１２１  下りリンク送信リソース情報制御部
１２２  上りリンク送信リソース情報制御部
１２３  ピリオディックＳＲＳ送信スケジュール制御部
１２４  アピリオディックＳＲＳ送信スケジュール制御部
１２５  ピリオディックＳＲＳサブフレーム制御部
１２６  アピリオディックＳＲＳサブフレーム制御部
１３０  受信部
１３１  無線受信部
１３２  ＳＲＳ分離・算出部
１３３  逆マッピング・復調処理部
１４０  アンテナ
２１０  受信部
２１１  無線受信部
２１２  復調処理部
２１３  下りリンク伝搬路算出部
２２０  スケジューリング情報管理部
２２１  下りリンク送信リソース情報管理部
２２２  上りリンク送信リソース情報管理部
２２３  ピリオディックＳＲＳ送信スケジュール管理部
２２４  アピリオディックＳＲＳ送信スケジュール管理部
２２５  ピリオディックＳＲＳサブフレーム管理部
２２６  アピリオディックＳＲＳサブフレーム管理部
２３０  送信部
２３１  符号化部
２３２  変調部
２３３  マッピング部
２３４  無線送信部
２４０  アンテナ
【図１】
2011077884.tif 000003
【図２】
2011077884.tif 000004
【図３】
2011077884.tif 000005
【図４】
2011077884.tif 000006
【図５】
2011077884.tif 000007
【図６】
2011077884.tif 000008
【図７】
2011077884.tif 000009
【図８】
2011077884.tif 000010
【図９】
2011077884.tif 000011